(57)【要約】遮音材料でコートされた(包まれた、またはそれに取り付けられた)可膨張式空気チャンバーで構成され、それによって一定の防音から利益を享受する様々な構造物を構築するための、可膨張式雑音減衰パネルまたは遮断壁。2008540881.tif 000003
2008540881.tif 000002
【特許請求の範囲】
【請求項１】
膨張時に第1と第2の表面が実質的に並行である、膨張時に該第1および第2の遮断面を画定する可膨張式袋(inflatable bladder)と、
第1の表面に取り付けられた音響減衰材料(SAM)のシートとを含む、
可膨張式音響減衰パネル。
【請求項２】
SAMが質量負荷ビニール(mass-loaded vinyl；MLV)を含む、請求項1記載のパネル。
【請求項３】
第2の表面に取り付けられたMLVの第2のシートを含む、請求項1記載のパネル。
【請求項４】
SAMシートが第1の表面に接着される、請求項1記載のパネル。
【請求項５】
SAMシートが、第1の表面に一つまたは複数のベルクロストリップ(Velcro strip)によって取外し可能に取り付けられる、請求項1記載のパネル。
【請求項６】
SAMシートを保持して袋に連結させる一つまたは複数の連結部材を含む、請求項1記載のパネル。
【請求項７】
可膨張式袋がPVCを含む、請求項1記載のパネル。
【請求項８】
SAMが軟性である、請求項1記載のパネル。
【請求項９】
袋が複数のバッフルおよび/または複数のチャンバーを備えるよう構成される、請求項1記載のパネル。
【請求項１０】
各パネルが少なくとも音響減衰材料(SAM)の第1のシートを含む、少なくとも2枚のパネルと、
少なくとも2枚のパネルを共に保持して遮断構造物を形成するように構成された連結装置とを含む、
遮音構造物。
【請求項１１】
各パネルがSAMの第2のシートを含み、連結装置が、第2のSAMのシートを第1のシートの近くにその間に空気間隙を備えるように実質的に並行な構成で保持する、請求項10記載の構造物。
【請求項１２】
各パネルが、SAMの第1と第2のシートの間に可膨張式袋を含む、請求項11記載の構造物。
【請求項１３】
各パネルが可膨張式袋を含み、連結装置が可膨張式袋を第1のシートの近くに実質的に並行な構成で保持する、請求項10記載の構造物。
【請求項１４】
連結装置が、2枚のパネルを直線的に連結する並列コネクター部材、および2枚のパネルを非直線式に連結するコネクター部材からなる群より選択される部材を含む、請求項10記載の構造物。
【請求項１５】
2枚のパネルが、一つまたは複数の壁を形成するようにフロアパネルに連結されるかまたはフロアパネル上に置かれる、少なくとも1枚の音響減衰材料のシートを含むフロアパネルをさらに含む、請求項10記載の構造物。
【請求項１６】
連結装置が、2つの壁を形成するように少なくとも2枚のパネルを互いに対してある角度で保持するコーナーコネクター部材を含む、請求項15記載の構造物。
【請求項１７】
角度が約1度または2度〜約180度の範囲である、請求項16記載の構造物。
【請求項１８】
各パネルが、SAMの第1のシートと反対側の袋の側面に、SAMの第2のシートを含む、請求項13記載の構造物。
【請求項１９】
SAMが質量負荷ビニール(MLV)を含む、請求項10記載の構造物。
【請求項２０】
SAMの第2のシートが質量負荷ビニール(MLV)を含む、請求項11記載の構造物。
【請求項２１】
膨張時に袋の内側面および袋の外側面を有するチャンバーを画定する可膨張式袋システムと、
内側面および外側面の一方または両方に取り付けられた音響減衰材料(SAM)の一枚または複数のシートとを含む、
可膨張式音響減衰システム。
【請求項２２】
SAMが質量負荷ビニール(MLV)を含む、請求項21記載のシステム。
【請求項２３】
袋システムが単一の可膨張式袋を含む、請求項21記載のシステム。
【請求項２４】
袋システムが、相互に接続した複数の可膨張式袋を含む、請求項21記載のシステム。
【発明の詳細な説明】
【技術分野】
【０００１】
本発明は、一般に音響減衰装置およびシステム、より特別には携帯式で軟性の可膨張式音響減衰装置およびシステムに関する。
【０００２】
関連出願の相互参照
本出願は、2005年5月12日出願の米国仮特許出願第60/680,940号、表題「INFLATABLE SOUND ATTENUATION SYSTEM」について優先権を主張し、その開示は、全体として参照により本明細書に組み入れられる。
【背景技術】
【０００３】
今日の社会においては、音響減衰を提供することが望ましいがその実現が難しい分野が多く存在する。例として、アパート、コンドミニアム、タウンハウス、家と家の間にほとんど距離がない一戸建て用住居および共に接近した部屋または音響減衰が役立つであろう部屋を含む他の構造物が挙げられる。これらのタイプの構造物の居住者は、音楽練習室またはエリア、ホームシアター、子供の遊び場、街頭騒音からの保護等を望んでも、実際的で手頃な音響減衰システムがないために、それができない。
【０００４】
さらに、恒久的な音響遮断物を建築することが実際的でないかまたは手頃でない状況で、音響減衰が短期間望まれるかまたは急に必要な場合が時々ある。これらの状況には、展示会が含まれ、ここでは会社にとってプライバシー問題のための防音ブースまたは防音室が役立つ場合がある。他の状況には、道路工事計画が含まれ、ここでは近隣と工事エリアの間の一時的な防音壁が望ましく、あるいは軍事作戦の場合でも、音響減衰特性を備えた可膨張式の航空機格納庫が作戦中に用いられ、最初の作戦が完了した時に撤去することができる(または恒久的構造物と置き換えられる)。
【０００５】
したがって、可膨張式で、それゆえ軟性で携帯式の、種々様々の個人用、商用および軍事利用のための、防音構造物を構築するためのシステムおよび方法を提供することが望ましい。
【発明の開示】
【０００６】
発明の概要
本発明は、軟性かつ携帯式の音響減衰装置およびシステム、ならびに種々様々の個人、商用、および軍事利用のための防音構造物を構築するためのシステムおよび方法を提供する。
【０００７】
本発明は、遮音材料(例えば質量負荷ビニール(mass-loaded vinyl)遮断材)でコートされた(包まれた、またはそれに取り付けられた)可膨張式空気チャンバーを含み、それによって一定の防音から利益を享受する様々な構造物を構築するための、可膨張式雑音減衰遮断構造物を提供する。
【０００８】
構築を望む構造物の大きさに依存して、本発明による可膨張式音響減衰システムは、例えば、壁、天井および床がすべて同一の可膨張式構造物の一部である一体型の可膨張式部屋として展開してもよいし、あるいは、様々なサイズの「パネル」として展開し、それから雑音減衰用連結装置を用いて共に連結して、壁、天井、および他の種類の遮断を提供してもよい。
【０００９】
本発明は、空気チャンバー遮断構造物および空気チャンバー内部の空気洞を構成するために用いられる材料および方法の両方の結果として、有意な防音特性を提供する。
【００１０】
ある局面では、遮音構造物には、エアマットレスおよび他の可膨張式構造物(可膨張式遊園地遊具構造物など)を作成するために既に使用されている標準技術および材料を用いて製作された空気チャンバー部分が含まれる。一つの局面では、遮音には、市販の質量負荷ビニール遮断材が含まれる。そのような材料は、本発明で構築される構造物中へのより多くまたはより少ない光透過のために、所望の種々のレベルの透明度(透明、半透明、または不透明)に作られる。当業者は、多くのタイプの材料を用いてよいことを理解すると思われる。
【００１１】
本発明は、現代の可膨張式構造物の特性の長所(軽量、携帯式で、それでいて比較的強く、硬性である)を、現代の雑音減衰材料の特性の長所(他の古い音響減衰材料と比較して、軟性であり、平方フィート当たり比較的軽量であること)と組み合わせて、携帯式で軟性の、および/または構築が容易な音響減衰装置およびシステムを提供する。
【００１２】
本発明のさらなる局面は、相補的な音響減衰パネル連結装置を用いて、可膨張式音響減衰システムのパネルを組み合わせることができる方式にある。添付した図の中で詳述するように、これらの連結器は、連結器がその一部でありかつ連結器が共に保持する構造物に、連結器そのものの防音特性を提供する。
【００１３】
本発明の一つの局面では、典型的には、膨張時に第1と第2の表面が実質的に並行である、膨張時に第1および第2の遮断面を画定する可膨張式袋(inflatable bladder)と、第1の表面に取り付けられた音響減衰材料(SAM)のシートとを含む、可膨張式音響減衰パネルを提供する。ある局面では、SAMは質量負荷ビニール(MLV)を含む。
【００１４】
本発明の一つの局面では、典型的には、各パネルが少なくとも音響減衰材料(SAM)の第1のシートを含む、少なくとも2枚のパネルと、遮断構造物を形成するように少なくとも2枚のパネルを共に保持するよう構成された連結装置とを含む、遮音構造物を提供する。ある局面では、SAMは質量負荷ビニール(MLV)を含む。
【００１５】
本発明のよりさらなる局面では、典型的には、膨張時に内側袋表面および外側袋表面を有するチャンバーを画定する可膨張式袋システムと、内側および外側面の1つまたは両方に取り付けられた一枚または複数の音響減衰材料(SAM)のシートとを含む、可膨張式音響減衰システムを提供する。ある局面では、SAMは質量負荷ビニール(MLV)を含む。ある局面では、袋システムは単一の袋を含む。ある局面では、袋システムは、相互に接続した複数の袋を含む。
【００１６】
図面および特許請求の範囲を含む、本明細書の残りの部分を参照することにより、本発明の他の特徴および長所が理解されると思われる。本発明のさらなる特徴および長所、ならびに本発明の様々な態様の構造および操作を、添付の図面に関連して詳細に以下に記述する。図面中で、同一の参照番号は、同一のまたは機能的に同様の構成要素を示す。
【００１７】
添付の図面は、本発明によるシステムの種々の局面および構成要素を例示する。
【００１８】
発明の詳細な説明
本発明は、音響減衰パネルおよび一枚または複数の音響減衰パネルが組込まれた遮音構造物を提供する。図1は、一つの態様による音響減衰パネル10を示す。示すように、パネル10は可膨張式袋20を含み、それは空気または他の流体、例えば液体または気体で膨張させたとき、実質的に平面的な表面形状(例えば平行面)を提供する。一つの局面では、異なるチャンバーを異なる流体で充填できるように、袋は一つより多い流体を受取るチャンバーを含んでよい。ある局面では、一つまたは複数の表面がバッフルを含む可能性があるが、しかし表面の一般的全体形は、実質的に平面でありかつその対向面に平行である。大型の平行面は、これらの表面が典型的には音響減衰遮断の寸法を画定するので、本明細書では遮断面と呼ぶことにする。示すように、1つの遮断面はそれに取り付けられた音響減衰材料の層30を含み、他方の遮断面もまた、それに取り付けられた音響減衰材料の層40を含む。ある別の態様では、1つの遮断面のみがそれに取り付けられた音響減衰材料の層を含む。一つの態様では、音響減衰材料が質量負荷ビニール(MLV)を含むが、しかし有用な音響減衰特性を有する他の材料を用いてもよい。他の有用な音響減衰材料の例には、PVC、織物またはプラスチックなどに鉛を浸透させた材料、および他の軟性または硬性材料が含まれうる。MLVは市販の材料であり、種々の厚さ、および種々の透明度(例えば、不透明および半透明の)で入手することができる。袋30は、好ましくはPVC、ポリウレタンあるいは他のプラスチックまたはポリマー材料で作製され、および袋の表面は、波形の形体(例えば、バッフル)を有してもよく、または平らな外形を有してもよい。ある局面では、糊または他の接着部材を用いて音響減衰層(例えば材料層30または40)を取り付けるが、しかしベルクロストリップ(velcro strip)、紐等を用いてもよい。音響減衰層は、複数の音響減衰層(例えば一枚または複数の同一のまたは異なる材料のシートの積み重ね)を含んでもよいことは理解されるはずである。
【００１９】
パネル10は、一部は密封された空気洞の音響減衰特性により、およびまたMLV層の音響減衰特性により、有利な音響減衰特質を提供する。遮断面に衝突する音波は、音響減衰材料層(例えばMLV)によるばかりでなく、材料層30および40の間の空気洞によっても、相当減衰される。層30または40の1つのみが、それに取り付けられた音響減衰材料を含む場合には、音響減衰特性は2層の場合ほどには著しくないことがある。さらに、音響減衰を最適化するために、音響減衰層(例えばMLV)の厚さを変えてもよく、および膨張時に袋20の厚さを変えてもよいことは理解されるはずである。例えば、ある状況では、用いられる材料および減衰されるべき周波数に一部依存して、約6インチの袋の厚さ(膨張した)を有することが望ましいであろうし、ならびに他の状況では、厚さは約8インチであることが望ましいことがある。一般に、袋の厚さを約1インチ〜約10インチまたはそれ以上であるように構成すればよい。さらに、音響減衰材料シートまたは層(例えばMLV)の厚さは、約1または2mm〜約1または2インチまたはそれ以上であってよい。例えば、厚型シートが、航空機格納庫または他の産業上の設定などで用いられる大規模音響減衰システムのために望ましいことがある。さらに軟性材料は、軟性材料のよりよい音響減衰および/または吸収特性のために好ましい；音波は、典型的には低い剛性および/または大きい軟性を有する材料を一貫して貫通するのは、より困難である。
【００２０】
一つの局面では、パネル10は、保管および輸送の容易さのために、携帯式で軟性である。図2は、空気を抜かれた状態のパネル10を示す。示すように、パネルは巻かれた形状である。巻かれた形状では、例えば、パネル10をより容易に保管し輸送することができる。示すように、袋20はまた、袋20の膨張(および収縮)を可能にするポンプ機構と連結するためのバルブポート15を含む。バルブポート15を、袋の側面またはおもて面に、および一般に便利であろうと思われる袋の任意の場所に設置することができる。図3は、ポンプ機構を用いて袋20を膨張させた後のパネル10の側面図を示す。保管および輸送部材(例えばバッグ、箱、または木枠)を、ある局面では、音響減衰システム中の別の部材、例えば連結部材またはブレースとして用いられるように構成することができる。
【００２１】
一つの態様によれば、遮音構造物には、一枚または複数の連結されたパネル10が含まれる。例えば、音響遮断を提供するために単一パネルを、例えば、部屋と部屋の間に、または壁、床、天井等に対して適切に設置することができる。さらに、複数のパネルを、配置し、構成して、拡大された遮断、あるいは閉鎖型のまたは部分的閉鎖型のチャンバーを提供することができる。一つの局面では、以下に論ずるように、様々な連結装置を用いて一枚または複数のパネル10を共に保持する。例えば、連結装置がパネルを保持する場合、パネル10の膨張特性が自己気密シールおよび連結装置とのかみ合いを有利に促進する。パネルが膨張すると、袋および音響減衰材料層が自己気密シールし、そしてパネルが、袋の(増加する)内部空気圧のバイアス力により、連結装置の内部とかみ合う。さらにある局面では、パネルの収縮は、パネルの連結装置からの分離を促進する。
【００２２】
図4は、複数の連結装置で共に連結されて音響減衰壁100を形成した複数のパネル110を含む遮音構造物の一例を示す。示すように、壁100は複数のパネル110を含み、その各々は不透明な音響減衰層(例えばMLV)を有し、その結果、壁は視覚的な遮断も提供する。任意のまたはすべてのパネルを透明材料で製作すれば、「透けて見える」壁を提供することができることは理解されるはずである。示すように、様々な連結装置を用いて、パネル110を共に連結させる。単一の一体型パネルホルダーを含む床受け材120、または共に連結された複数のパネルホルダーが、構造100の支持を提供する。床受け材は、床部材に連結させても、または独立して立っていてもよい。並列連結部材(例えばH型梁部材)130は、2枚の(またはそれ以上の)パネルを、示すように直線的に(約180°の角度で)共に連結し、およびU型梁部材140は外側支持を提供する。連結装置はモジュール式または嵌め込み式、および/または伸長可能であってよい。一つまたは複数の部材を含む追加の支持構造150は、構造物100の上面での支持を提供する。ある局面では、連結装置の内側部分および/または外側部分は、構造100に追加の音響減衰特性を与えるための、例えば諸部材が交わる点での漏音を防ぐための、それに連結された音響減衰材料層を含む。例えば図5は、内側面上に音響減衰材料層135を含むH型梁部材130の斜視図を示す。ある局面では、パネル110を膨張後に連結材に滑り込ませることができ、例えば、2つのH型梁部材間にパネルを滑り込ませることができる。または、未膨張のまたは部分的に膨張したパネルを適切に配置してから、膨張させて気密性を高めてもよい。
【００２３】
図6は、複数の連結装置により共に連結されて閉鎖型音響減衰チャンバー200を形成する複数のパネル210を含む遮音構造物の一例を示す。示すように、チャンバー200は、複数のパネル210を含み、その各々が、チャンバーが「透けて見える」ように半透明の音響減衰層(例えばMLV)を有する。任意のまたはすべてのパネルを、不透明材料で作成するまたは覆うことができることは理解されるはずである。示すように、パネル210を、様々な連結装置を用いて共に連結する。
【００２４】
単一の一体型パネル、または相互に連結された複数のパネルを含む床構造物215は、構造物200の支持を提供する。床構造物215は、ある局面ではMLVなどの音響減衰材料を含む。単一の一体型パネルホルダーか、または共に連結された複数のパネルホルダーを含む床受け材220は、構造物200の支持を提供する。床受け材220は、床構造物215に固定的に連結されるか、または独立して立っていることができる。H型梁部材230は、示すように、2枚(またはそれ以上)のパネルを、直線的に(約180°の角度で)共に連結し、またコーナー梁部材240は、構造200の異なる壁のパネルに相互接続的に外側からの支持を提供する。図7は、一つの態様によるコーナー梁部材240の斜視図を示す。コーナー梁部材は、直線的でない角度で、例えば180°以外で(例えば、1または2度〜約180度の範囲で)2枚またはそれ以上のパネルを共に連結するように構成される。例えば図7に示すように、コーナー梁部材は、2枚のパネルを約90°に保持するように構成される。一つまたは複数の部材を含む追加の上部支持構造梁250は、上部H型梁部材230Tおよびコーナー被覆部材260に加えて、構造200の上部で支持を提供する。例えば閉鎖的チャンバーに、ドアまたは他の入り口を有することが望ましい場合、例えば図8に示すように、パネル構造物を開くことができるようにドア枠コネクターを用いることができる。または、ドアとして働く密封性通路を含むようにパネルを改変することもできる。例えば、戸口などの通路は、2つの部分を結びつける材料でできた「蝶番」で内側の袋が内外へ弧を描いて動くように、より小型の袋を囲むより大型の袋を含んでもよい。さらに、コネクター中に、気流が遮断構造物の内外へと流れることを可能にする機構を画定することができる。例えば、図7および8では、示すように、H型梁部材が通気口232を有するように構成されている。任意の連結装置/コネクター部材が通気孔または所望の他の機構を含んでよい。示した連結装置の構成が、種々の横断面および形状(例えば丸い角)も取ることができることは理解されるはずである。
【００２５】
ある局面では、連結装置部材の内側部分、および/または外側部分は、それに連結された音響減衰材料層(例えば、糊、ベルクロ等を用いて)を含み、構造200に追加の音響減衰特性を提供し、例えば、諸部材が交わる点での漏音を防ぐ。例えば図7は、内側面上に音響減衰材料の層245を含む、コーナー梁部材240の斜視図を図示す。
【００２６】
図9は、別の態様によるモジュール式遮音構造物300を示す。示すように、構造物300の部材を分離して、様々な設計構成および代替物を示す。例えば、一つの態様では、音響減衰パネルは、音響減衰材料310、例えばMLVの単一シートまたは層のみを含む。別の態様では、パネルは、その間に空気間隙(可膨張式袋がない)を有する1対の音響減衰シートまたは層310および312、例えばMLVを含むが、しかし上に論じたように可膨張式袋320を含んでもよい。この態様では、コネクター部材/連結装置は、2枚の音響減衰シートを気密構成で保持して、空気間隙がその間に存在して可膨張式袋と同じ効果を提供する。すなわち、空気洞の減衰特性が音減衰を促進する。連結装置はモジュール式または嵌め込み式、および/または伸長可能なものでよい。音響減衰シート310および312を、糊、ベルクロ、または他の接着剤材料または機構を用いて、コネクター部材に連結または取り付けてよい。
【００２７】
有利なことに、本発明の音響減衰パネルおよび構造物を用いて製作された筺体は、格別に大きい挿入損失を有することが見出された。例えば、音響レベルが10dB低下すると音の大きさが半分になると考えるので、あるテスト筺体は、約2,000Hzおよびそれ以上で、50dBをこえる挿入損失を有することが見出された。
【００２８】
代替例および使用
本発明の音響減衰システムおよび装置は、好適に種々の形および大きさに構成することができ、これにより、それらを、防音特性が望まれる以下の種類の音響遮断構造物の構築を非限定的に含む様々な目的に用いることが可能になる。
・楽器練習室
・家庭録音スタジオ
・ホームシアター室
・ゲーム室/遊戯室/書斎
・展示会室
・作業現場制御室
・内部使用のための消音壁、天井、および床(例えば、他の近くの家または集合住宅で修繕工事を行っているときに、家、アパート、タウンハウス、およびコンドミニアムに一時的な防音を提供するため)。このような装置は十分に軽く、強力なベルクロを用いて表面へ取り付けることができる。それらには、騒々しいアパートの部屋と部屋の間で簡単な壁または天井遮断として働くように設置された、小型の1枚のパネルが含まれうる。
・外部使用のための音響吸収壁(例えば住宅地の近隣を通って適所に道路工事迂回路を設置しなければならないときに、一時的な音響遮断として使用するため)
・音響偏向壁(例えば恒久壁が不可能な状況で、高速道路の音響遮断として用いる)
・一時的な戸外音楽円形劇場の外郭
・航空機エンジン試運転用格納庫/区域(軍事用または民間用の使用のため)
【００２９】
ある局面では、遮音材料を貼り付ける「支持外郭」(例えば袋)に必要な剛性を提供するために、空気などの流体(気体または液体)を用いるので、組み合わせた材料が十分に軽く保たれ、本発明に従うシステムを容易に携帯式/移動可能にすることができ、平均的な居住ビルの内部での使用にさえも適切な構造物の設計と構築が可能になる。それらは一般に、平方フィート当たりウォーターベッドより軽量であるためである。
【００３０】
上述の使用により、完全に閉鎖された「部屋の中の部屋」が、あるいは完全に閉鎖された「部屋の中の部屋」を形成しない様々な組合せの壁、天井、および床を含む外郭が、有用な音響減衰特性を提供し、その特性が、比較的大きな音を聞く場所もしくは作製する場所をユーザーに提供してユーザーが構造の外部の人々へ騒音公害を与えることの回避/制限を可能にし、および/または外の大きな音を中に入れない静かな部屋を提供すると思われる。使用には以下のものが含まれるが、これらに限定されない：楽器の演奏または歌を練習する場所；大音量でサラウンドサウンドシステムを聞くことができるホームシアター室；子供が騒がしいゲーム(ビデオゲーム、グループボードゲーム、またはさらに幼児の騒がしい遊びなど)をする場所；および勉強、プライバシー、瞑想、または祈りのための静かな部屋。
【００３１】
システムはまた、好ましくは戸外に配置可能である。パネルは、好ましくは防水であり、著しい温度変動(熱および寒さ)に曝すことができる。
【００３２】
このように、本発明は、以前にはそのような構造物を容易にまた手頃に提供することができなかったスペースまたは場所に配備することができる、相当な防音特性を有する構造物(上述の、および他の)の開発を可能にする。
【００３３】
本発明のさらなる注目すべき局面：
音響減衰パネル連結器：
音響減衰パネル連結器は、1組の音響減衰パネルを共に取り付けて、特定の形状および構造型を形成するために用いる一連の装置を含む。ある局面では、連結器はまたそれ自体が雑音減衰部材として働いて、個々のパネルの間の割れ目を通る任意の音の「漏出」の防止を助ける。連結装置は、好ましくは剛構造を含む。連結装置は、理にかなった(logical)場所(壁の中央部分および壁のコーナー、天井部分等；図を参照のこと)で一連のパネルを共に連結するのを容易にするために設計された様々な形および大きさを取ってよい。ある局面では、連結装置を遮音(好ましくは質量負荷ビニール遮断)材料の一つまたは複数の層でコートするかまたは覆う。
【００３４】
例えば、音響減衰パネル連結器を用いることによって、部屋または部分的な部屋などの可膨張式筐体の構築が可能になる。例としては、一体型設計で達成することができるであろうよりも大型の練習スタジオ、ホームシアター、およびゲーム用娯楽室か、あるいは、連結器および可膨張式音響減衰パネルの両方の著しく大型の変形体を用いた、可膨張式高速道路音響壁および可膨張式航空機ジェットエンジン試運転用格納庫が含まれる。
【００３５】
床：
所望の場合は、音響遮断床システムが本発明の音響減衰システムで作製される構造物に含まれる。なぜなら、ある場所では(例えば地階の娯楽室などでは)床システムは必要ないが、一方、硬材の床、カーペット敷きの床、あるいはタイル張りの床を備えたアパートなどの他の場所では、それぞれ最適な防音のための異なる種類の取扱いが必要とされうるためである。一つの局面では、床システムは可膨張式構造物(それは可膨張式壁、可膨張式天井、およびPVCで外装された質量負荷ビニール遮断で構成され、しかし足元に空気チャンバーを用いない床材で作製される)の下に配備された一枚または複数の硬性音響減衰パネルを含む。所望の場合は、上げ床システムの下に可膨張式音響減衰システムの追加のパネルを挿入して、任意の所与の構造物の床に追加の音響減衰特性を提供してもよい。
【００３６】
換気：
一つの局面では、可膨張式音響減衰システムパネルおよび/あるいは一体型または複数部材型部屋構造物には、それ自体の雑音を制限する機構を有する最適な送風/加熱/冷却システムを任意で使用することにより、新鮮な空気を絶えず構造物中へ循環させることを可能にする機構が含まれる。この換気システムは、一連のバッフルがつけられた空気路(市販の非毒性の遮音泡を通り抜ける)が組み込まれた特別の「換気促進」音響減衰パネル(または一体型可膨張式部屋の壁の一区画)で構成され、その結果空気が押されて壁を両方向に通り、一方で、システムの最高の遮音特性が維持される。例えば一つの局面では、図10に描くように、市販のファンを用いて、構造物(例えばパネルおよび/または連結部材)の「換気促進」部分を通して空気を押し/引く。別の局面では、連結装置中の小さな通路を通して空気を押し/引くことにより、気流が達成される。
【００３７】
電源：
一つの局面では、電源コードは、パネルで組み立てられた部屋の1枚の特定のパネルのコーナーか、または一体型構造物のコーナーのいずれかにおいて、小さな特別にバッフル付の/含泡性の「ポート」(それにできるだけ防音特性を与える)に、組み込まれるか、または挿入されてもよい。システムには、望ましい場合は、内蔵式電力パネルまたはプラグシステムが含まれてもよい。例えば、連結部材またはパネルは、組込型電源を含んでもよい。
【００３８】
照明：
一つの局面では、構造物の中へ自然光/室内光を入れるために、チャンバーを構成するために使用されるパネルのいくつかまたはすべてを、あるいは一体型の部屋の一部(パネルおよびドアの窓区域)を、少し不透明なまたは透明な材料を用いて構築してもよく(空気チャンバーを構成するために使用する材料および質量負荷ビニールの両方が、様々な透明度で入手可能である)、または、ユーザーが選んで自分の照明装置を構造物の内部で用いてもよい。望ましい場合、システムは照明取付け具またはシステムを含んでもよい。
【００３９】
可膨張式構造物：
図10は、本発明の一つの態様による一体型可膨張式構造物400を示す。この態様では構造物400は、膨張時に内部チャンバーを作製するように構成された、一つの袋または複数の相互に連結された袋を含む。複数の相互連結された袋を用いる場合、単一のポンプシステムが一つより多い袋を膨張させることができるように、流体ポートが2つの袋を共に連結する。チャンバーの内側および/または外側壁は、それに取り付けられた音響減衰材料、例えば一つまたは複数の袋に取り付けられた一枚または複数のMLVのシートを含んでもよい。音響減衰材料シートは、予め取り付けておいてもよいし、あるいは構造物を部分的にまたは完全に組立てたまたは膨張させた後で、ユーザーが取り付けてもよい。ある局面では、構造物400は組込み式自己膨張装置を含むが、しかし、ポートを提供して外部ポンプと接続できるようにしてもよい。流体流による膨張は、連続的であっても断続的であってもよい。外部の換気システムと接続できるように換気ポートを提供してもよい。人がチャンバーに出入りできるように、好ましくは入り口(例えばドア)を提供する。構造的完全性を提供するために、追加の支持部材を用いることができる。
【００４０】
各一体型構造物(練習室、ホームシアター、ゲーム室等など)は、好ましくは一つまたは複数の高性能内部膨張ポンプを備え、ユーザーが単に装置に差し込み、部屋を自動的にそのフルサイズへ膨張させることができる。
【００４１】
個々のパネルは、標準エアマットレス型ポンプ(小型のパネル用)または産業用膨張装置(高速道路壁、飛行機エンジン試運転用格納庫等用など)のいずれかに関連して用いられる、一つまたは複数の空気注入弁を備える。一つの局面では、各パネルは、パネルに内蔵された、またはそうでなければパネルに組み込まれた、個々の膨張装置を含む。バルブをパネルの任意の表面に置き、パネルの膨張および/または収縮を、いつでも(例えば、既に壁や部屋を組み立てた後に、追加してパネルを膨張させたい場合に)容易に行うために、一つより多いバルブを備えてもよい。
【００４２】
大型遮断には、パネルを膨張させるためにヘリウムまたは他の低密度気体を用いてもよい。例えば、ヘリウムの使用は、パネルを膨らませるまたは吊り上げるのを助けることにより、追加の支援を提供する。
【００４３】
一つの局面では、パネル(例えば袋)は、追加の構造支持を提供するためのボードなどの剛性材を受け取り保持するように構成された側面ポケットを含んでもよい。ある局面では、連続流を提供するシステムおよび方法を、例えば袋の中への流体の漏出および連続流を含むことが望ましい大型の工業規模の袋および/または他の小型の袋のために用いてもよい。
【００４４】
さらなる機構：
可膨張式音響減衰システム(防音室、高速道路の壁、空港の格納庫など)にとって可能な使用の各範疇には、様々な色/サイズ/使用の範疇が利用できる。防音室の変形の例には、例えば以下のものが含まれる。
・練習スタジオのサイズ：
単一の楽器練習用または音声ブース用の個人サイズのチャンバー。
大グループの人々/楽器を収容する練習室。
アップライト型練習ピアノを囲むための長く/狭く形作られた部屋。
グランドピアノを囲むためのより広く/より正方形に形作られた部屋。
・様々な色をパネルおよび構造物(例えば部屋および練習スタジオ)に用いることができる：
・様々な可膨張式部屋用の追加物には以下のものが含まれうる：
壁に追加の音響吸収材料(例えば卵殻泡(egg shell foam))を有する「可膨張式録音スタジオ」。
様々なサイズのスピーカーを吊下げ/設置するために壁に組み込まれた特別な収容箱を有する「可膨張式ホームシアター」。
迷路またはミニ滑り台などの、チャンバーに組み込まれた様々な種類の子供用安全遊具構造物を有する「可膨張式遊戯室」。
【００４５】
一つの態様では、携帯式で可膨張式の「インスタント録音スタジオ」などの携帯式システムを、テーブルまたはスタンドとして用いることもできるスーツケースまたは木枠などの収容箱または運搬装置に入れて提供する。運搬装置または外郭が、輸送を促進するためにハンドルおよびローラーホイールを含んでもよい。また、中身は、一つまたは複数の壁または部屋を作るパネルおよびコネクターに加えて、内蔵の空気循環システムおよびシステムを作り上げるパネル部材を膨張させるための電源を含みうる。
【００４６】
別の態様では、可膨張式袋は音響減衰材料で作られ、音響減衰材料(例えばMLV)の追加のシートまたは層は必要ではないこともある。同様に、別の態様では、可膨張式構造物は、音響減衰材料で作られるかまたは覆われる。この結果、音響減衰が減ることがあるが、しかし携帯性がよくなる可能性がある。
【００４７】
いくつかの構造物については、パネルまたは全構造物の支持を助けるために、追加の支えが望まれうる。例としては、床または壁の固定器および留め具、および他の同様の固定装置が含まれうる。
【００４８】
好ましくは、音響減衰材料(例えばMLV)が袋全体または可膨張式構造物全体の内側と外側を覆う。例えば、MLVの単一シートを複数の支持袋に取り付けてもよい。または、袋の一部または片側だけが覆われてもよく、好ましくは、構造物を組み立てる場合、構造物は、完全にそれを内側または外側から囲むか、または構造物が完全には囲まれていない場合には少なくとも片側を囲むかのいずれかの、音響減衰材料を有する。
【００４９】
望ましい場合は、部材または完成した構造物を覆うためのカバーが提供されてもよい。カバーは、保護、装飾を提供するため、材料の香りを改変する等のために、好ましくは織物または他の適当な材料で作られる。
【００５０】
一つの局面では、透明で硬性のアクリル材を用いて連結部材および支持梁を構成する。例えば、パネルを、透明なMLVおよび透明なPVCの空気袋と組み合わせたときは、できるだけ多くの外部からの光が構造物に入るようになる(したがって電灯は必要ではない)。別の局面では、連結部材および支持梁が硬性で不透明なPVCで作られる、例えばブースの内部の暗さが望ましい特徴であるブースを作る場合である(その場合、好ましくは不透明なMLVおよび空気袋がまた用いられるであろう)。
【００５１】
図11は、接続部材または機構を有するよう構成されたパネル500および501の態様の上面図を示す。示すように、パネル500が、メスの凹み領域510、例えば、別の袋または他の部材のオスの連結領域520に噛み合うように構成された「c」形の凹みを有する袋を含む。パネル501は二股のオスコネクター領域521を含む。図11bは、相互接続した構成の複数の袋501を示し；オス領域521がメス領域510に噛み合っている。ある局面では、相互接続した袋の膨張により、相互接続した凹み領域にエアロックが提供される。ある局面では、支持ポール530または他の構造用部材、例えば、梁、ボード、嵌め込みポール等を、図11bに示すように追加の構造支持を提供するために用いることができる。
【００５２】
実施例により、および具体的な態様により本発明について記述したが、本発明は開示された態様に限定されることはないと理解される。それと反対に、本発明が様々な改変および類似の処理を包含するように意図されていることは当業者に明白であると思われる。例えば、連結部材および装置もまた、可膨張式袋を含むことができる。したがって、添付の特許請求の範囲には、そのような改変および類似の仕組みをすべて包含するように、最も広い解釈が与えられるべきである。
【図面の簡単な説明】
【００５３】
【図１】一つの態様による音響減衰パネルを示す。
【図２】空気を抜かれた状態の図1のパネルを示す。
【図３】ポンプ機構を用いて袋を膨張させた後のパネルの側面図を示す。
【図４】一つの態様による、複数の連結装置を用いて共に連結されて音響減衰壁を形成する複数のパネルを含む、遮音構造物の例を示す。
【図５】内側面上に音響減衰材料層を含む、並列連結部材の斜視図を示す。
【図６】一つの態様による、複数の連結装置を用いて共に連結されて、閉鎖型音響減衰チャンバーを形成する複数のパネルを含む、遮音構造物の例を示す。
【図７】一つの態様によるコーナー梁部材240の斜視図を示す。
【図８】ドアを有する遮音チャンバーを示す。
【図９】別の態様による、モジュール式遮音構造物を示す。
【図１０】本発明の一つの態様による一体型可膨張式構造物を示す。
【図１１】接続および支持部材または機構を有するよう構成された可膨張式パネルの態様の上面図を示す。
【図１】
2008540881.tif 000004
【図２】
2008540881.tif 000005
【図３】
2008540881.tif 000006
【図４】
2008540881.tif 000007
【図５】
2008540881.tif 000008
【図６】
2008540881.tif 000009
【図７】
2008540881.tif 000010
【図８】
2008540881.tif 000011
【図９】
2008540881.tif 000012
【図１０】
2008540881.tif 000013
【図１１】
2008540881.tif 000014
【国際調査報告】
2008540881.tif 000015